(57)【要約】      （修正有）【課題】屋外に設置される照明器具の内部に給水官を備え光源の熱的なストレスの低減を図る。【解決手段】照明器具１は、ＬＥＤ３００と、ＬＥＤ３００を支持する器具本体２と、器具本体２の内部に収容される給水管４とを備える。給水管４は、本管４１と、本管４１から分岐された複数の分岐管４２とを有する。器具本体２は、複数の分岐管４２の各々の先端と一対一に対応し、かつ、複数の分岐管４２に流れる水を吐出する複数の吐出口２２を有する。【選択図】図３
2020123559.tif 000002
【特許請求の範囲】
【請求項１】
固体光源と、
前記固体光源を支持する器具本体と、
前記器具本体の内部に収容される給水管と、
を備え、
前記給水管は、本管と、前記本管から分岐された複数の分岐管とを有し、
前記器具本体は、前記複数の分岐管の各々の先端と一対一に対応し、かつ、前記複数の分岐管に流れる水を吐出する複数の吐出口を有する、
照明器具。
【請求項２】
前記器具本体は照明柱に取り付けられ、
前記本管は、前記照明柱を介して給水設備と接続される、
請求項１記載の照明器具。
【請求項３】
前記本管の端部に、別の本管を連結するための連結部が設けられている、
請求項１又は２記載の照明器具。
【請求項４】
前記複数の吐出口は、前記水を霧状に吐出させる、
請求項１〜３のいずれか１項に記載の照明器具。
【請求項５】
流量の調整が可能である流量調整弁が、前記複数の吐出口のそれぞれに設けられている、
請求項１〜４のいずれか１項に記載の照明器具。
【発明の詳細な説明】
【技術分野】
【０００１】
本開示は、照明器具に関し、より詳細には、屋外に設置される照明器具に関する。
【背景技術】
【０００２】
従来、道路灯及び街路灯のように屋外で使用される照明器具が提供されている。例えば特許文献１には、道路灯支柱（照明柱）の先端部に取り付けられる照明器具が記載されている。当該照明器具の照明器具本体には、光源としてのＬＥＤ（Light Emitting Diode）が実装されたＬＥＤ基板、ＬＥＤを点灯させるための電源基板等が組み込まれている。
【先行技術文献】
【特許文献】
【０００３】
【特許文献１】特開２０１７−２０８１８９号公報
【発明の概要】
【発明が解決しようとする課題】
【０００４】
ところで、屋外に設置される照明器具は、直射日光を浴びることで高温になりやすく、熱的なストレスによって光源（ＬＥＤ）の劣化が促進されてしまうおそれがある。
【０００５】
本開示の目的は、屋外における熱的なストレスの低減を図ることができる照明器具を提供することである。
【課題を解決するための手段】
【０００６】
本開示の一態様に係る照明器具は、固体光源と、前記固体光源を支持する器具本体と、前記器具本体の内部に収容される給水管とを備える。前記給水管は、本管と、前記本管から分岐された複数の分岐管とを有する。前記器具本体は、前記複数の分岐管の各々の先端と一対一に対応し、かつ、前記複数の分岐管に流れる水を吐出する複数の吐出口を有する。
【発明の効果】
【０００７】
本開示の照明器具は、屋外における熱的なストレスの低減を図ることができるという効果がある。
【図面の簡単な説明】
【０００８】
【図１】図１は、本開示の実施形態に係る照明器具が照明用ポールに取り付けられた状態の斜視図である。
【図２】図２は、同上の照明器具、照明用ポール及び給水設備のブロック図である。
【図３】図３は、同上の照明器具の断面図である。
【図４】図４は、同上の照明器具における連結部の斜視図である。
【図５】図５は、同上の照明器具におけるコネクタの斜視図である。
【発明を実施するための形態】
【０００９】
以下、本開示の実施形態に係る照明器具について、図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１０】
実施形態に係る照明器具１（以下、照明器具１と略す。）は、図１に示すように照明柱の一種である照明用ポール５に取り付けられ、照明用ポール５の周囲の車道又は歩道などを照明する、屋外照明（道路照明）のための照明器具である。
【００１１】
照明用ポール５は、鋼管により、内部が空洞である円筒状に形成されている。照明用ポール５は、例えば、第１端（下端）が地中に埋め込まれて固定される。そして、照明用ポール５の第２端（上端）に照明器具１が取り付けられる。また、照明用ポール５の内部に、流路５０（図２参照）が収容されている。流路５０の第１端（下端）は、給水設備６と接続されている。なお、照明用ポール５の内部には電源装置（不図示）が収容される。電源装置は、例えば、電力系統から供給される交流電力を直流電力に変換して照明器具１に供給する。したがって、照明用ポール５の内部には電源装置から直流電力を供給するための電路（電源ケーブル）も収容されている。
【００１２】
給水設備６は、ポンプ６０と貯水槽６１を含む（図２参照）。貯水槽６１は、地上に設置されるか、あるいは、地中に埋められる。貯水槽６１は、例えば、上水道から供給される水（上水）を貯水する。ただし、貯水槽６１は、地中に埋められて雨水を貯水するように構成されても構わない。
【００１３】
ポンプ６０は、貯水槽６１にたまっている水を吸い上げて流路５０に送り出す。ポンプ６０は、制御装置７によって制御され、単位時間当たりに流路５０に送り出す水量を調整することができる。
【００１４】
照明器具１は、図１及び図３に示すように、光源ユニット３と、光源ユニット３を支持する器具本体２と、器具本体２の内部に収容される給水管４とを備える。
【００１５】
光源ユニット３は、ＬＥＤモジュール３０、取付部材３１及びカバー３２を有する。ＬＥＤモジュール３０は、長尺の長方形状に形成されているＬＥＤ基板３０１と、ＬＥＤ基板３０１の表面（下面）に等間隔に実装されている複数のＬＥＤ３００（固体光源）とを有する（図３参照）。取付部材３１は、アルミニウム又はアルミニウム合金などの金属材料によって長尺の長方形状に形成されている。取付部材３１の下面における幅方向（短手方向）の中央にＬＥＤモジュール３０が取り付けられている。カバー３２は、無機ガラス又は有機ガラスによって長尺の樋状に形成されている。カバー３２は、複数のＬＥＤ３００を内部に収容して、取付部材３１の下側に取り付けられる（図２参照）。なお、ＬＥＤモジュール３０は、照明用ポール５内に収容されている電源ケーブルを介して電源装置と電気的に接続され、電源装置から電源ケーブルを介して供給される直流電力によって点灯する。
【００１６】
器具本体２は、例えば、アルミニウム又はアルミニウム合金の押し出し成形により、長尺の角筒状に形成されている。器具本体２の内部には、長手方向に直交する平面で切ったときの断面形状が長方形状である収容空間２０が形成されている（図３参照）。器具本体２の下面に光源ユニット３の取付部材３１が取り付けられる。ここで、光源ユニット３のＬＥＤモジュール３０は、取付部材３１を介して器具本体２と熱的に結合されている。したがって、点灯中のＬＥＤモジュール３０が発する熱は、取付部材３１から器具本体２に熱伝導され、器具本体２から放熱される。
【００１７】
給水管４は、本管４１と、本管４１から分岐された複数の分岐管４２とを有している（図３参照）。本管４１は、例えば、ステンレス鋼などの金属材料によってだ円筒形状に形成されている。複数の分岐管４２はそれぞれ、先端部分が漏斗状に形成されている。給水管４は、本管４１の管軸方向（長手方向）を器具本体２の長手方向に一致させるようにして器具本体２の収容空間２０に収容される。
【００１８】
ここで、複数の分岐管４２のそれぞれの先端は、器具本体２の長手方向に沿った側面に設けられている複数の吐出口２２と一対一に対応し、かつ、複数の吐出口２２と一つずつ接続されている。なお、器具本体２における複数の吐出口２２には、流量調整弁２３が一つずつ設けられる（図３参照）。
【００１９】
照明器具１は、例えば、日没の前後に電源装置から光源ユニット３に直流電力を供給して光源ユニット３を点灯させる。一方、日中（例えば、日の出から日没までの期間）においては、照明器具１は光源ユニット３を消灯させる。そして、日中の最高気温が３０度（あるいは３５度）以上となる場合、給水設備６から照明器具１の給水管４に給水する。照明器具１は、日光及び外気で温められた器具本体２と、給水管４内の水との間で熱交換を行うことにより、器具本体２及び光源ユニット３のＬＥＤモジュール３０を冷却する。
【００２０】
また、給水設備６から給水される水は、給水管４の複数の分岐管４２を通って複数の吐出口２２のそれぞれから吐出する。つまり、熱交換によって温められた水は複数の吐出口２２から給水管４の外に吐き出されるため、給水管４内の水温の上昇を抑えてＬＥＤモジュール３０の温度上昇を抑制することができる。
【００２１】
さらに、給水管４内の水は、複数の吐出口２２のそれぞれから霧状に吐出する。複数の吐出口２２から霧状に吐き出された水が気化する際に照明器具１の周囲の気温が低下する。ゆえに、照明器具１は、器具本体２の複数の吐出口２２から冷却用の水を吐き出させることにより、周囲の気温を低下させて歩行者などに涼しさを感じさせることができる。
【００２２】
また、器具本体２における複数の吐出口２２のそれぞれに流量調整弁２３が設けられている。したがって、流量調整弁２３によって吐出口２２から吐出する水量を調整することができる。例えば、流量調整弁２３が気温の上昇に合わせて流量（吐出口２２から吐出する水量）を増やすことにより、照明器具１における放熱性の向上、及び周囲の気温の低下を図ることができる。
【００２３】
ところで、照明器具１において、本管４１の端部（長手方向の両端部）には、別の本管（別の照明器具１が備える給水管の本管）を接続するための連結部４３が設けられている（図４参照）。連結部４３は、連結管４３０と、継ぎ手４３１とを有する（図４参照）。連結管４３０は、例えば、合成ゴムのように可撓性を有する材料で形成されることが好ましい。連結管４３０の一端は本管４１の先端に接続されている。なお、器具本体２の先端面に開口２４が設けられており、この開口２４から連結管４３０を器具本体２の外に引き出すことができる。
【００２４】
継ぎ手４３１は、連結管４３０の他端に取り付けられた雄ねじ部４３２と、雄ねじ部４３２とはまり合うナット４３３と、別の連結管４３５を介して別の本管に接続されている雄ねじ部４３４とを有する。つまり、継ぎ手４３１は、二つの雄ねじ部４３２、４３４を直線状に並べた状態でそれぞれの雄ねじ部４３２、４３４にナット４３３をはめ合わせることにより、２本の連結管４３０、４３５同士を連結する。連結部４３は、器具本体２の開口２４を通して収容空間２０に押し込まれる。
【００２５】
さらに、器具本体２は、防水性を有するコネクタ８を備えている。コネクタ８は、プラグコネクタ８０と、レセプタクルコネクタ８１とを有する（図５参照）。プラグコネクタ８０は、器具本体２の後端部に設けられ、レセプタクルコネクタ８１は、器具本体２の先端部に設けられている。つまり、２台の照明器具１のＬＥＤモジュール３０同士がコネクタ８を介して電気的に接続される。なお、２台の照明器具１は、ねじ止めなどの適宜の方法で機械的に接続される。ただし、上述のように複数台の照明器具１を連結する場合、これら複数台の照明器具１は、照明用ポール５ではなく、建物の屋側及び橋梁の欄干などに設置されることが好ましい。
【００２６】
上述のように第１の態様に係る照明器具（１）は、固体光源（ＬＥＤ３００）と、固体光源を支持する器具本体（２）と、器具本体（２）の内部に収容される給水管（４）とを備える。給水管（４）は、本管（４１）と、本管（４１）から分岐された複数の分岐管（４２）とを有する。器具本体（２）は、複数の分岐管（４２）の各々の先端と一対一に対応し、かつ、複数の分岐管（４２）に流れる水を吐出する複数の吐出口（２２）を有する。
【００２７】
第１の態様に係る照明器具（１）は、器具本体（２）と、給水管（４）内の水との間で熱交換を行うことによって器具本体（２）及び固体光源を冷却するので、屋外における熱的なストレスの低減を図ることができる。
【００２８】
第２の態様に係る照明器具（１）は、第１の態様との組合せにより実現され得る。第２の態様に係る照明器具（１）において、器具本体（２）は照明柱（照明用ポール５）に取り付けられることが好ましい。本管（４１）は、照明柱を介して給水設備（６）と接続されることが好ましい。
【００２９】
第２の態様に係る照明器具（１）は、照明柱によって高所に設置可能となる。
【００３０】
第３の態様に係る照明器具（１）は、第１又は第２の態様との組合せにより実現され得る。第３の態様に係る照明器具（１）において、本管（４１）の端部に、別の本管を接続するための連結部（４３）が設けられていることが好ましい。
【００３１】
第３の態様に係る照明器具（１）は、連結部（４３）によって別の照明器具と接続し、当該別の照明器具の給水管にも給水することができる。
【００３２】
第４の態様に係る照明器具（１）は、第１〜第３のいずれかの態様との組合せにより実現され得る。第４の態様に係る照明器具（１）において、複数の吐出口（２２）は、水を霧状に吐出させることが好ましい。
【００３３】
第４の態様に係る照明器具（１）は、熱交換によって温められた水を複数の吐出口（２２）から給水管（４）の外に吐き出させるので、給水管（４）内の水温の上昇を抑えて固体光源の温度上昇を抑制することができる。さらに、第４の態様に係る照明器具（１）は、複数の吐出口（２２）から霧状に吐き出された水が気化する際に周囲の気温を低下させて歩行者などに涼しさを感じさせることができる。
【００３４】
第５の態様に係る照明器具（１）は、第１〜第４のいずれかの態様との組合せにより実現され得る。第５の態様に係る照明器具（１）において、流量の調整が可能である流量調整弁（２３）が、複数の吐出口（２２）のそれぞれに設けられていることが好ましい。
【００３５】
第５の態様に係る照明器具（１）は、流量調整弁（２３）で流量を調整することにより、屋外における熱的なストレスの更なる低減を図ることができる。
【符号の説明】
【００３６】
１  照明器具
２  器具本体
４  給水管
５  照明用ポール（照明柱）
６  給水設備
２２  吐出口
２３  流量調整弁
４１  本管
４２  分岐管
４３  連結部
３００  ＬＥＤ（固体光源）
【図１】
2020123559.tif 000003
【図２】
2020123559.tif 000004
【図３】
2020123559.tif 000005
【図４】
2020123559.tif 000006
【図５】
2020123559.tif 000007